(57)【要約】【課題】  被写体内の部位の実寸法を容易に求めることができる画像表示装置及び画像表示方法を提供する。【解決手段】  Ｘ線画像は実際の被写体よりも拡大された画像であるため、得られた画像で距離を計測すると、実際の寸法よりも大きい値が得られてしまう。そこで、長さを計測する際に、実際の寸法からどれくらい拡大されているかが分かるように、計測値と共に拡大率を表示する。また、どのようにして画像が撮影されたかを示すために、管球（Ｘ線源）とセンサとの位置関係や姿勢等の撮影環境も併せて表示する。【選択図】  図３
2005304698.tif 000002
【特許請求の範囲】
【請求項１】
センサが検知した被写体の画像を画面に表示する画像表示手段と、
前記画像上に存在する任意の２点間の距離を計測する計測手段と、
前記計測手段により計測された測定値を表示する測定値表示手段と、
前記センサが検知した画像の前記被写体における実寸法と前記測定値との比率を算出する比率算出手段と、
前記比率算出手段により算出された比率を表示する比率表示手段と、
前記被写体を撮影する際の前記被写体、前記センサ及び放射線源の相互の位置関係を設定する位置関係設定手段と、
前記位置関係設定手段により設定された位置関係を含む撮影環境を表示する撮影環境表示手段と、
を有し、
前記比率算出手段は、前記位置関係設定手段により設定された位置関係を用いて前記比率を算出することを特徴とする画像表示装置。
【請求項２】
前記比率算出手段は、前記比率として、前記測定値が前記実寸法をどれだけ拡大したものであるかを示す拡大率を算出し、
前記比率表示手段は、前記拡大率を表示することを特徴とする請求項１に記載の画像表示装置。
【請求項３】
前記比率算出手段は、前記比率として、前記実寸法が前記測定値をどれだけ縮小したものであるかを示す縮小率を算出し、
前記比率表示手段は、前記縮小率を表示することを特徴とする請求項１に記載の画像表示装置。
【請求項４】
前記撮影環境表示手段は、任意の画面内に、前記被写体、前記センサ及び前記放射線源をこれらの位置関係に基づいて模式的に表示すると共に、前記模式的な表示をどの方向から表示したものであるかを示す表示方向及び前記被写体の撮影姿勢を表示することを特徴とする請求項１乃至３のいずれか１項に記載の画像表示装置。
【請求項５】
前記位置関係設定手段は、前記画面に表示されている画像が前記センサの表面と平行な面の画像である場合に、少なくとも、前記平行な面、前記センサ及び前記放射線源の位置を変更できるように構成されていることを特徴とする請求項１乃至４のいずれか１項に記載の画像表示装置。
【請求項６】
前記位置関係設定手段は、前記画面に表示されている画像が前記センサの表面から傾斜した面の画像である場合に、少なくとも、前記傾斜した面内の前記画像に相当する領域の端部、前記センサ及び前記放射線源の位置を変更できるように構成されていることを特徴とする請求項１乃至５のいずれか１項に記載の画像表示装置。
【請求項７】
前記位置関係設定手段は、前記被写体内の面のうちで前記画面に表示し得る範囲を制限することができるように構成されていることを特徴とする請求項１乃至６のいずれか１項に記載の画像表示装置。
【請求項８】
前記撮影環境表示手段は、前記２点を結ぶ線分が延びる方向に基づいて前記撮影環境の表示態様を変更することができるように構成されていることを特徴とする請求項１乃至７のいずれか１項に記載の画像表示装置。
【請求項９】
センサと、
前記センサに向けて放射線を発生する放射線源と、
請求項１乃至８のいずれか１項に記載の画像表示装置と、
を有することを特徴とする画像表示システム。
【請求項１０】
センサが検知した被写体の画像を画面に表示する画像表示ステップと、
前記画像上に存在する任意の２点間の距離を計測する計測ステップと、
前記計測ステップにおいて計測した測定値を表示する測定値表示ステップと、
前記被写体を撮影する際の前記被写体、前記センサ及び放射線源の相互の位置関係を設定する位置関係設定ステップと、
前記位置関係設定ステップにおいて設定した位置関係を含む撮影環境を表示する撮影環境表示ステップと、
前記センサが検知した画像の前記被写体における実寸法と前記測定値との比率を、前記位置関係設定ステップにおいて設定した位置関係を用いて算出する比率算出ステップと、
前記比率算出ステップにおいて算出した比率を表示する比率表示ステップと、
を有することを特徴とする画像表示方法。
【請求項１１】
コンピュータに、
センサが検知した被写体の画像を画面に表示する画像表示手順と、
前記画像上に存在する任意の２点間の距離を計測する計測手順と、
前記計測手順において計測した測定値を表示する測定値表示手順と、
前記被写体を撮影する際の前記被写体、前記センサ及び放射線源の相互の位置関係を設定する位置関係設定手順、
前記位置関係設定手順において設定した位置関係を含む撮影環境を表示する撮影環境表示手順と、
前記センサが検知した画像の前記被写体における実寸法と前記測定値との比率を、前記位置関係設定手順において設定した位置関係を用いて算出する比率算出手順と、
前記比率算出手順において算出した比率を表示する比率表示手順と、
を実行させるためのプログラム。
【請求項１２】
撮影した被写体の画像を画面に表示する画像表示ステップと、
前記被写体を撮影する際の前記被写体、撮影面及び放射線源の相互の位置関係を含む撮影環境を表示する撮影環境表示ステップと、
前記被写体を撮影する際の前記被写体、撮影面及び放射線源の相互の位置関係を設定する位置関係設定ステップと、
前記位置関係設定ステップにより設定された位置関係を用いて、前記被写体画像の倍率を算出する像倍率算出ステップと、
を有することを特徴とする画像表示方法。
【請求項１３】
前記撮影環境表示ステップにおいて、被写体の撮影姿勢を示す情報を表示することを特徴とする請求項１２に記載の画像表示方法。
【請求項１４】
前記撮影環境表示ステップにおいて、前記被写体、撮影面及び放射線源の相互の位置関係をどの方向から表現しているかを示す情報を表示することを特徴とする請求項１２又は１３に記載の画像表示方法。
【請求項１５】
前記位置関係設定ステップにおいて、前記被写体の測定対象部位から前記放射線源までの距離と、前記被写体の測定対象部位から前記撮影面までの距離とを設定することを特徴とする請求項１２乃至１４のいずれか１項に記載の画像表示方法。
【請求項１６】
前記位置関係設定ステップにおいて、前記撮影面から前記被写体までの距離、前記撮影面から前記放射線源までの距離及び前記被写体厚とを設定することを特徴とする請求項１５に記載の画像表示方法。
【請求項１７】
撮影した被写体の画像を画面に表示する画像表示手段と、
前記被写体を撮影する際の前記被写体、撮影面及び放射線源の相互の位置関係を含む撮影環境を表示する撮影環境表示手段と、
前記被写体を撮影する際の前記被写体、撮影面及び放射線源の相互の位置関係を設定する位置関係設定手段と、
前記位置関係設定手段により設定された位置関係を用いて、前記被写体画像の倍率を算出する像倍率算出手段とを有することを特徴とする画像表示装置。
【発明の詳細な説明】
【技術分野】
【０００１】
本発明は、Ｘ線画像を表示する医用画像表示装置に好適な画像表示装置及び画像表示方法に関する。
【背景技術】
【０００２】
医用分野で画像診断というと、Ｘ線撮影されたフイルム画像をシャーカステンに掛けて、観察及び診断することを指していた。しかし、近年、固体撮像素子等を用いたＸ線撮影機器が開発されてきており、コンピュータを用いたＸ線画像デジタル読み取り撮影が行われてきている。
【０００３】
このような従来のＸ線撮影では、管球（Ｘ線発生装置）から発生したＸ線が被写体を透過してフイルム又はセンサに投影されるため、Ｘ線画像は実際の被写体の大きさよりも拡大された画像として得られる。
【０００４】
そこで、フイルム画像を用いた診断では、フイルム上で２点間の長さを測定する際に、フイルムに定規を測定しようとする部位に直接当てて距離を測定している。ここで、拡大率を求めるには、カセッテと管球の距離を元に手作業で算出しなければならない。
【０００５】
一方、Ｘ線デジタル読み取り撮影を行った場合には、ＣＲＴや液晶ディスプレイ等のモニタに表示して診断を行う。この場合、画像上の２点間の長さを測定するために、Ｘ線画像表示システムに付随する距離計測ツール等を用いて計測することが行われている（特許文献１参照）。
【０００６】
しかしながら、距離計測ツールを用いて計測した値は、前述したように、被写体を透過したＸ線を受光するセンサ上での距離であるため、実際の寸法よりも拡大されており、実際の被写体の寸法は得られない。また、画像上での２点間を指定したのみでは、被写体の深さ方向の位置指定を一切行うことができないため、深さが異なる２点間の距離を求めることもできない。
【０００７】
【特許文献１】特開２０００−１３２６６７号公報
【発明の開示】
【発明が解決しようとする課題】
【０００８】
本発明は、被写体内の部位の実寸法を容易に求めることができる画像表示装置及び画像表示方法を提供することを目的とする。
【課題を解決するための手段】
【０００９】
本願発明者は、前記課題を解決すべく鋭意検討を重ねた結果、以下に示す発明の諸態様に想到した。
【００１０】
本願発明に係る画像表示装置は、センサが検知した被写体の画像を画面に表示する画像表示手段と、前記画像上に存在する任意の２点間の距離を計測する計測手段と、前記計測手段により計測された測定値を表示する測定値表示手段と、前記センサが検知した画像の前記被写体における実寸法と前記測定値との比率を算出する比率算出手段と、前記比率算出手段により算出された比率を表示する比率表示手段と、前記被写体を撮影する際の前記被写体、前記センサ及び放射線源の相互の位置関係を設定する位置関係設定手段と、前記位置関係設定手段により設定された位置関係を含む撮影環境を表示する撮影環境表示手段と、を有し、前記比率算出手段は、前記位置関係設定手段により設定された位置関係を用いて前記比率を算出することを特徴とする。
【００１１】
本願発明に係る画像表示システムは、センサと、前記センサに向けて放射線を発生する放射線源と、上記の画像表示装置と、を有することを特徴とする。
【００１２】
本願発明に係る画像表示方法は、センサが検知した被写体の画像を画面に表示する画像表示ステップと、前記画像上に存在する任意の２点間の距離を計測する計測ステップと、前記計測ステップにおいて計測した測定値を表示する測定値表示ステップと、前記被写体を撮影する際の前記被写体、前記センサ及び放射線源の相互の位置関係を設定する位置関係設定ステップと、前記位置関係設定ステップにおいて設定した位置関係を含む撮影環境を表示する撮影環境表示ステップと、前記センサが検知した画像の前記被写体における実寸法と前記測定値との比率を、前記位置関係設定ステップにおいて設定した位置関係を用いて算出する比率算出ステップと、前記比率算出ステップにおいて算出した比率を表示する比率表示ステップと、を有することを特徴とする。
【００１３】
本願発明に係るプログラムは、コンピュータに、センサが検知した被写体の画像を画面に表示する画像表示手順と、前記画像上に存在する任意の２点間の距離を計測する計測手順と、前記計測手順において計測した測定値を表示する測定値表示手順と、前記被写体を撮影する際の前記被写体、前記センサ及び放射線源の相互の位置関係を設定する位置関係設定手順、前記位置関係設定手順において設定した位置関係を含む撮影環境を表示する撮影環境表示手順と、前記センサが検知した画像の前記被写体における実寸法と前記測定値との比率を、前記位置関係設定手順において設定した位置関係を用いて算出する比率算出手順と、前記比率算出手順において算出した比率を表示する比率表示手順と、を実行させるためのものである。
【発明の効果】
【００１４】
本発明によれば、計測値と共に比率が表示されるため、被写体内の測定部位の実寸法を容易に得ることができる。更に、撮影環境を画面上に表示すれば、被写体、センサ及び放射線源の位置関係を、ＧＵＩ上でマウス等を用いて直感的に設定することができるようになる。
【発明を実施するための最良の形態】
【００１５】
以下、本発明の実施形態について添付の図面を参照して具体的に説明する。
【００１６】
（第１の実施形態）
先ず、本発明の第１の実施形態について説明する。図１は、本発明の第１の実施形態に係るＸ線画像表示装置のハードウェアの構成を示すブロック図である。
【００１７】
図１に示すように、本実施形態には、操作者が外部から指示を入力するマウス及びキーボード等の入力装置１０１、入力装置１０１から入力された指示を解読して全体の制御を行うＣＰＵ等の制御装置１０２、ハードディスク及び外部記憶媒体等のデータを保存するデータ保存装置１０３、及び情報及び画像等を表示するＣＲＴ及び液晶ディスプレイ等の表示装置１０４が設けられており、これらは相互に接続されている。制御装置１０２は、図示しないＲＯＭ等に記憶されたプログラムに基づいた制御を行う。
【００１８】
次に、第１の実施形態の機能構成について説明する。図２は、本発明の第１の実施形態に係るＸ線画像表示装置の機能構成を示す機能ブロック図である。
【００１９】
本実施形態には、指示部２０１、画像保存部２０２、画像受信部２０３、画像表示部２０４、計測処理部２０５、計測値表示部２０６、撮影環境設定部２０７、撮影環境表示部２０８、拡大率／縮小率算出部２０９及び拡大率／縮小率表示部２１０が設けられている。
【００２０】
指示部２０１は、例えば、入力装置１０１に相当し、Ｘ線画像表示装置に各種指示を与える。画像保存部２０２は、例えば、データ保存装置１０３に相当し、Ｘ線撮影により得られた画像データを保存する。画像受信部２０３は、例えば、制御装置１０２及びこれが実行するプログラムにより構成され、画像保存部２０２に保存されている画像データを取得する。画像表示部２０４は、例えば、表示装置１０４及び制御装置１０２等により構成され、画像受信部２０３が取得した画像データを表示する。
【００２１】
計測処理部２０５は、例えば、制御装置１０２等により構成され、入力部１０１から入力された指示に基づいて、画像表示部２０４に表示されている画像内の２点間の長さを測定する。計測値表示部２０６は、例えば、表示装置１０４及び制御装置１０２等により構成され、計測処理部２０５による測定で得られた計測値を表示する。
【００２２】
撮影環境設定部２０７は、例えば、制御装置１０２等により構成され、マウス及びキーボード等の入力部１０１から入力された指示に基づいて、管球と被写体との距離及び被写体とセンサとの距離等の撮影環境を設定する。撮影環境表示部２０８は、例えば、表示装置１０４及び制御装置１０２等により構成され、撮影環境設定部２０７により設定された撮影環境を表示する。従って、操作者が撮影環境表示部２０８に表示されている撮影環境を視認しながら入力部１０１を操作すると、この操作に付随して撮影環境設定部２０７が新たな撮影環境を設定する。そして、この設定結果は、随時、撮影環境表示部２０８に表示される。このため、操作者は、撮影環境表示部２０８に表示されている内容を確認しながら、所望の撮影環境を選択することが可能である。ここで、撮影環境とは、被写体をＸ線撮影する際のＸ線源、被写体及びＸ線を受光するセンサ等の間の位置関係、並びに、撮影時の被写体の姿勢及び向き等を意味する。
【００２３】
拡大率／縮小率算出部２０９は、例えば、制御装置１０２等により構成され、撮影環境設定部２０７によって設定された内容に基づいて、画像の拡大率又は縮小率を算出する。拡大率／縮小率表示部２１０は、例えば、表示装置１０４及び制御装置１０２党により構成され、拡大率／縮小率算出部２０９によって算出された値を表示する。
【００２４】
図９は、従来のＸ線画像表示装置における表示の一例を示す模式図である。図９に示すように、従来のＸ線画像表示装置では、ディスプレイに診断者が診断を行うＸ線画像７０１が表示され、更に、このＸ線画像７０１に対して所定の操作を行うことを指示するためのＧＵＩ（グラフィカルユーザインタフェース）として、各種ツールボタンが表示される。例えば、操作者がマウス等のポインティングデバイスを用いて計測処理を行うためのボタンをクリックすると計測処理が実行可能となる。このようなボタンとして、図９に示す例では、計測ツール７０２が表示されている。
【００２５】
そして、操作者が計測ツール７０２をクリックする等して計測処理を行うことをＸ線画像表示装置に指示すると、Ｘ線画像上の任意の２点を指定することが可能となる。この状態で、操作者が任意に選択した２点を指定すると、Ｘ線画像表示装置が２点間の距離を測定し、更に、指定された２点間を線分７０３で結び、測定値を計測値表示枠７０４内に表示する。
【００２６】
図９に示す例では、操作者が計測した胸部の長さ計測値が２５０ｍｍであることを示しているが、この数値はセンサ上の写像における長さであって、実際の長さではない。このように、従来のＸ線画像表示装置では、センサ上の写像における長さのみが表示され、被写体内の正確な長さ（人体内組織の実測値）は得られない。
【００２７】
このような従来のＸ線画像表示装置に対し、本実施形態では、センサ上の写像における長さのみでなく、写像の長さと実際の長さとの比率を表示するとともに、撮影環境を表す別ウィンドウを表示する。図３は、本発明の第１の実施形態における表示の一例を示す模式図である。図３に示すように、本実施形態に係るＸ線画像表示装置では、画像表示部２０４がＸ線画像３０１を表示し、計測値表示部２０６が線分３０３及び計測値表示枠３０４を表示し、撮影環境表示部２０８が撮影環境ウィンドウ３０５を表示する。計測値表示枠３０４内には、計測値表示部２０６が計測値を表示するだけでなく、拡大率／縮小率表示部２１０がセンサ上の写像における長さと実際の長さとの比率を表示する。撮影環境ウィンドウ３０５には、撮影環境表示部２０８が、管球、被写体及びセンサ等位置関係等の撮影環境を表示する。また、従来のＸ線画像表示装置と同様に、計測ツール３０２がＧＵＩとして表示される。更に、図示しないが、ＧＵＩとして、拡大・縮小、コントラスト調整及び周波数強調等のＸ線画像に対して一般的に行われる処理を指示するためのボタンが表示されることが好ましい。
【００２８】
なお、撮影環境ウィンドウ３０５は、画面上にポップアップウィンドウとして表示するほかに、画像を表示しているウィンドウ内に表示してもよい。また、画面上に診断者が診断を行うＸ線画像３０１が複数枚表示されてもよい。
【００２９】
次に、撮影環境ウィンドウ３０５の内容について説明する。図４Ａは、撮影環境ウィンドウ３０５の構成を示す図である。撮影環境ウィンドウ３０５には、図４Ａに示すように、例えば、Ｘ線を受光するセンサ４０１、被写体４０２、管球（Ｘ線発生源）４０６、センサ４０１と被写体４０２との距離４０３、被写体４０２の厚さを表す被写体厚４０４、センサ４０１と管球４０６との距離４０５、センサ４０１上での写像で測定した長さ４０７、実際に測定したい測定部位４０８、センサ４０１と測定部位４０８との距離４０９、測定部位４０８と管球４０６との距離４１０、及び撮影姿勢表示部４１１が表示される。撮影姿勢表示部４１１は、例えば、撮影した時の被写体４０２姿勢、及び、撮影環境ウィンドウ３０５をセンサ４０１のどの方向から表示しているか（撮影環境の表示方向）を表示する。即ち、図４Ａ中の「立位」は、被写体４０２が立った状態で撮影が行われたことを示し、「上」は、センサ４０１と管球４０６とを結ぶ直線をセンサ４０１の上方から見たときの撮影環境を表示していることを示している。
【００３０】
図４Ｂは、ある撮影環境に対する撮影環境ウィンドウを示す図であり、図４Ｃは、図４Ｂに示す撮影環境とは異なる撮影環境に対する撮影環境ウィンドウを示す図である。図４Ｂに示す撮影環境と図４Ｃに示す撮影環境とでは、
（１）  被写体厚４０４（４０４Ｂ、４０４Ｃ）、
（２）  センサ４０１と管球４０６との距離４０５（４０５Ｂ、４０５Ｃ）、
（３）  センサ４０１と測定部位４０８（４０８Ｂ、４０８Ｃ）との距離４０９（４０９Ｂ、４０９Ｃ）、及び
（４）  測定部位４０８と管球４０６との距離４１０（４１０Ｂ、４１０Ｃ）
が相違している。これに対し、写像での長さ４０７（４０７Ｂ、４０７Ｃ）は互いに一致している。これは、撮影環境設定部２０７に、指示部２０１から入力された指示に基づいて、写像での長さ４０７が一定となるように、測定部位の幅を伸縮する機能が備えられており、この機能によって撮影環境設定部２０７が測定部位の幅を調整するからである。
【００３１】
例えば、図４Ｂに示す撮影環境に対し、測定部位４０８Ｂをセンサ４０１側に移動させると、撮影環境設定部２０７が測定部位４０８Ｂの長さを拡大し、管球４０６側に移動させると、測定部位４０８Ｂの長さを縮小する。即ち、管球４０６から測定部位４０８Ｂの端点を通る直線とセンサ４０１との交点は２点存在し、撮影環境設定部２０７は、この２点を結ぶ線分の長さ（写像での長さ４０７Ｂ）が常に一定となるように、測定部位４０８Ｂを伸縮させるのである。このような制御は、図４Ｃに示す撮影環境に対しても行われる。
【００３２】
なお、測定部位４０８を任意の場所に移動することも可能であるが、被写体４０２の内部でのみ移動が許可されるような制限を設けることも可能である。つまり、被写体厚４０４で指定されている距離の範囲内でのみ移動可能とすることにより、被写体４０２の外部を設定するということがないようにすることができる。
【００３３】
また、撮影環境ウィンドウ３０５内に表示する種々の距離（数値）は、マウスのドラッグ操作等によってセンサ４０１の位置を変更することによって変更できるだけでなく、表示されている数値をキーボード等を用いて直接編集することによって、変更することも可能である。同様に、測定部位４０８（４０８Ｂ、４０８Ｃ）の位置も、マウスのドラッグ操作等で移動することが可能である。
【００３４】
また、撮影姿勢表示部４１１には、図４Ａ〜図４Ｃに示す「立位」及び「上」の他、例えば、撮影姿勢として「臥位」が表示されたり、表示方向として「下」、「左」又は「右」が表示されたりする場合もある。前述のように、表示方向は、センサ４０１と管球４０６とを結ぶ直線をセンサ４０１のどの方向から見たときの撮影環境を表示しているかを示している。即ち、表示方向は、センサ４０１に対して規定された方向（本実施形態では、センサ４０１から管球４０６に向かって上下左右とする）を基準とした方向を示している。従って、例えば、図４Ｄに示すように、臥位でＸ線撮影が行われ、表示方向がセンサ４０１の基準方向から見て右側にある場合、即ち、センサ４０１をその右方から見ている場合には、撮影姿勢表示部４１１Ｄに「臥位−右」と表示される。
【００３５】
なお、撮影姿勢は表示する画像の付帯情報として取得することができ、表示する画像が決定した時点で決定されてもよく、操作者が手動で撮影姿勢を選択することも可能である。また、図４Ａ〜図４Ｄにおいては、撮影環境の表示方向をセンサ４０１に対して規定された方向を基準にして上下左右のいずれかの方向と規定している、表示方向を特定できるのであれば、いかなる基準を用いてもよい。
【００３６】
次に、センサ上の写像における長さと被写体内の実際の長さとの比率について説明する。ここでは、この比率の例として、拡大率及び縮小率について説明する。
【００３７】
拡大率とは、センサ上の写像での長さ４０７が実際の測定部位４０８上での長さをどれだけ拡大したものであるかを示す値である。一方、縮小率とは、測定部位４０８上での長さがセンサ上の写像での長さ４０７をどれだけ縮小したものであるかを示す値である。従って、図４Ｂに示す例では、センサと測定部位との距離４０９Ｂが３０ｃｍ、管球と測定部位との距離４１０Ｂが１０２ｃｍであるため、拡大率及び縮小率は、夫々、数式１及び数式２で表される。
【００３８】
【数１】
2005304698.tif 000003
【００３９】
【数２】
2005304698.tif 000004
【００４０】
また、図４Ｃに示す例では、センサと測定部位との距離４０９Ｃが８ｃｍ、管球と測定部位との距離４１０Ｃが１３４ｃｍであるため、拡大率及び縮小率は、夫々、数式３及び数式４で表される。
【００４１】
【数３】
2005304698.tif 000005
【００４２】
【数４】
2005304698.tif 000006
【００４３】
なお、これらは比率を求める方法の例であり、センサ上の写像における長さと被写体内の測定部位の長さとの比率を求める方法は、これらに限定されるものではない。
【００４４】
次に、第１の実施形態に係るＸ線画像表示装置の動作について説明する。図５は、本発明の第１の実施形態に係るＸ線画像表示装置の動作を示すフローチャートである。図５には、画像に対する計測操作が行われた場合の拡大率又は縮小率の表示に関するフローを示しており、画像に対する他の操作に関しては省略してある。
【００４５】
先ず、ステップＳ５０１において、操作者が患者ＩＤを入力するか、又はカードリーダ等を用いて患者情報を指示部２０１から入力すると、画像受信部２０３が入力された患者情報に基づいて画像データを画像保存部２０２から読み出し、画像表示部２０４が当該画像データに基づいて該当する患者の画像を表示する。
【００４６】
ステップＳ５０２において、操作者が画面上に表示されている計測ツールを選択し、計測を行う部分（２点）を選択することにより、指示部２０１から計測処理の指示を入力すると、計測処理部２０５が計測処理を開始する。
【００４７】
その後、ステップＳ５０３において、計測値表示部２０６が計測処理部２０５によって計測された値を表示する。
【００４８】
また、予め撮影環境設定部２０７が設定している撮影環境に基づいて、拡大率／縮小率算出部２０９が拡大率又は縮小率を算出し、これを拡大率／縮小率表示部２１０が、ステップＳ５０４において表示する。また、撮影環境表示部２０８は、ステップＳ５０５において撮影環境ウィンドウ３０５内に撮影環境を表示する。
【００４９】
その後、ステップＳ５０６において、操作者から撮影環境の変更の指示があるか判断し、この指示がある場合には、ステップＳ５０７において、操作者に画面上のセンサ、被写体及び管球等の位置並びに表示方向等の各種パラメータの変更を要求することにより、新たな撮影環境を設定する。
【００５０】
そして、ステップＳ５０８において、拡大率／縮小率算出部２０９が、ステップＳ５０７において変更された各種パラメータに基づいて拡大率又は縮小率を算出する。続いて、ステップＳ５０４において、拡大率／縮小率表示部２１０が、ステップ５０８において算出された値を、それまで表示されていた拡大率又は縮小率を消去した上で、表示する。
【００５１】
なお、ステップＳ５０５において、最初に表示する撮影環境は規定の値（初期値）で表示され、前もって設定されているものである。表示された撮影環境を変更する必要がない場合（ステップＳ５０６のＮｏの場合）は、そのまま他の操作へ移るため、計測操作を終了する。
【００５２】
このような第１の実施形態によれば、計測値表示枠３０４内に計測値だけでなく、比率として拡大率又は縮小率が表示されるので、観察箇所４０８内の２点間の実寸法を容易に得ることができる。
【００５３】
（第２の実施形態）
次に、本発明の第２の実施形態について説明する。計測部位がＸ線画像３０１内で傾斜している場合、その傾斜角度及び表示方向によっては、撮影環境ウィンドウ３０５内に表示される測定部位４０８の長さが極端に短くなる場合がある。このような場合、撮影環境の変更操作が行いにくくなるおそれがある。第２の実施形態は、このような操作の行いにくさを未然に防止する機能を備えている。図６は、本発明の第２の実施形態に係るＸ線画像表示装置の機能及び動作を示す図である。
【００５４】
例えば、本実施形態では、計測処理を行うに当たって、２点が指定されると、指定された２点を結ぶ線分と鉛直方向とのなす角度を求め、図６に示すように、指定された２点間を結ぶ線分と鉛直方向とのなす角度θが４５度を下回ると、撮影環境の表示方向を「右」又は「左」とする。
【００５５】
このような機能を設けることにより、測定部位４０８の長さが極端に短くなることが抑制され、常に変更操作を行いやすい状態に保つことが可能となる。
【００５６】
なお、本実施形態では、２点間を結ぶ線分と鉛直方向とのなす角度の閾値を４５度としているが、そのほかのいかなる方向とのなす角度、及びいかなる角度を閾値としてもよい。また、２点間を結ぶ線分と所定の方向とのなす角度が閾値を上回った場合に表示方向を変更するようにしてもよい。
【００５７】
なお、第１の実施形態でも、操作者が手動で表示方向を変更することが可能であるが、第２の実施形態では、自動的に変更が行われるため、第１の実施形態よりも操作性が高いといえる。
【００５８】
（第３の実施形態）
次に、本発明の第３の実施形態について説明する。第１及び第２の実施形態では、測定部位がセンサの表面に平行である場合のみを想定しているが、センサの表面に対して実際の測定部位が傾斜している場合も考えられる。しかし、第１及び第２の実施形態では、この場合の長さ又は比率を測定することはできない。第３の実施形態は、このような場合でも、センサ上の写像における長さと測定部位の実際の長さとの比率を求める機能を備えている。図７は、本発明の第３の実施形態に係るＸ線画像表示装置の機能及び動作を示す図である。
【００５９】
第３の実施形態では、計測処理を行うに当たって、２点が指定されると、指定された２点の撮影環境ウィンドウ３０５上、又は画像表示部２０４に表示されているＸ線画像３０１上でのｘｙ座標（ｘ１，ｙ１）及び（ｘ２，ｙ２）を求める。このときの原点の位置は、特に限定されない。そして、拡大率及び縮小率は、夫々、センサ上での距離Ｄを用いて数５及び数６で表される。
【００６０】
【数５】
2005304698.tif 000007
【００６１】
【数６】
2005304698.tif 000008
【００６２】
但し、この拡大率及び縮小率は、第１の実施形態のように、Ｘ線画像上で線分３０３が水平になっている場合のものであって、第２の実施形態のように、線分３０３が傾斜している場合には、ｘｙ平面に垂直なｚ軸方向におけるｚ座標を考慮する必要がある。
【００６３】
また、計測値表示枠３０４内に、距離Ｄと拡大率又は縮小率とを表示するのではなく、測定部位の実際の長さとして数７で与えられる値を表示してもよい。
【００６４】
【数７】
2005304698.tif 000009
【００６５】
なお、このように、被写体４０２の奥行き方向に対して斜めに測定部位４０８を移動させることを可能にするためには、例えば、測定部位４０８の端点をマウス等でドラッグ操作して行うことができるように、プログラムを作成しておけばよい。また、このとき、測定部位４０８の端点は、図８に示すように、センサ上での写像での長さ４０７が常に一定になるように移動させることが好ましい。
【００６６】
このような第３の実施形態によれば、被写体４０２内の奥行きが相違する２点間の距離も正確且つ容易に得ることができる。
【００６７】
また、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００６８】
【図１】本発明の第１の実施形態に係るＸ線画像表示装置のハードウェアの構成を示すブロック図である。
【図２】本発明の第１の実施形態に係るＸ線画像表示装置の機能構成を示す機能ブロック図である。
【図３】本発明の第１の実施形態における表示の一例を示す模式図である。
【図４Ａ】撮影環境ウィンドウ３０５の構成を示す図である。
【図４Ｂ】ある撮影環境に対する撮影環境ウィンドウを示す図である。
【図４Ｃ】図４Ｂに示す撮影環境とは異なる撮影環境に対する撮影環境ウィンドウを示す図である。
【図４Ｄ】撮影姿勢表示部４１１に表示される表示方向の例を示す図である。
【図５】本発明の第１の実施形態に係るＸ線画像表示装置の動作を示すフローチャートである。
【図６】本発明の第２の実施形態に係るＸ線画像表示装置の機能及び動作を示す図である。
【図７】本発明の第３の実施形態に係るＸ線画像表示装置の機能及び動作を示す図である。
【図８】第３の実施形態における測定部位４０８の移動態様を示す図である。
【図９】従来のＸ線画像表示装置における表示の一例を示す模式図である。
【符号の説明】
【００６９】
１０１：入力装置
１０２：制御装置
１０３：データ保存装置
１０４：表示装置
２０１：指示部
２０２：画像保存部
２０３：画像受信部
２０４：画像表示部
２０５：計測処理部
２０６：計測値表示部
２０７：撮影環境設定部
２０８：撮影環境表示部
２０９：拡大率／縮小率算出部
２１０：拡大率／縮小率表示部
【図１】
2005304698.tif 000010
【図２】
2005304698.tif 000011
【図３】
2005304698.tif 000012
【図４Ａ】
2005304698.tif 000013
【図４Ｂ】
2005304698.tif 000014
【図４Ｃ】
2005304698.tif 000015
【図４Ｄ】
2005304698.tif 000016
【図５】
2005304698.tif 000017
【図６】
2005304698.tif 000018
【図７】
2005304698.tif 000019
【図８】
2005304698.tif 000020
【図９】
2005304698.tif 000021